(57)【特許請求の範囲】
【請求項１】
主制御基板上に設けられ且つ第１変動開始条件が成立することに基づいて取得される第１検出情報と第２変動開始条件が成立することに基づいて取得される第２検出情報とをそれぞれ所定の上限個数を限度として順次記憶する検出情報記憶領域と、
前記検出情報記憶領域に記憶された前記第１検出情報に基づいて図柄を変動表示する第１図柄表示手段と、
前記検出情報記憶領域に記憶された前記第２検出情報に基づいて図柄を変動表示する第２図柄表示手段と、
前記主制御基板上に設けられ且つ前記第１図柄表示手段の変動後の停止図柄と前記第２図柄表示手段の変動後の停止図柄との何れかが特定態様となった場合に特別利益状態を発生させる特別利益状態発生手段と、
前記第１検出情報の記憶個数である第１保留個数と前記第２検出情報の記憶個数である第２保留個数とを表示する保留個数表示手段と、
前記主制御基板とは別の演出制御基板上に設けられ且つ前記第１保留個数の変化時にその変化後の前記第１保留個数を、前記第２保留個数の変化時にその変化後の前記第２保留個数をそれぞれ示す保留個数指定コマンドを前記主制御基板から受信することに基づいて前記保留個数表示手段の表示制御を行う保留個数表示制御手段とを備え、
前記保留個数指定コマンドは、増加後の前記第１保留個数と前記第２保留個数とに対応する増加後保留個数指定コマンドと、減少後の前記第１保留個数と前記第２保留個数とに対応する減少後保留個数指定コマンドとを含み、
前記第１図柄表示手段と前記第２図柄表示手段とを前記第１検出情報と前記第２検出情報との記憶順序に従って択一的に作動させるように構成した
弾球遊技機において、
主電源遮断中のバックアップ状態からの復帰時には前記主制御基板から前記演出制御基板に対して主電源遮断直前の前記第１保留個数と前記第２保留個数とを示す復帰時保留個数指定コマンドが送信されるように構成し、
前記保留個数表示制御手段は、前記バックアップ状態からの復帰時以外の通常時には、前記保留個数表示手段に前記第１保留個数分の第１保留表示と前記第２保留個数分の第２保留表示とを前記検出情報記憶領域への前記第１検出情報と前記第２検出情報との記憶順序に従って同一列上に表示させ、前記バックアップ状態からの復帰時には、前記復帰時保留個数指定コマンドに基づいて、前記保留個数表示手段に前記第１保留表示及び前記第２保留表示とは別の特定保留表示を前記第１保留個数と前記第２保留個数との合計個数分表示させるように構成し、
前記増加後保留個数指定コマンド又は前記減少後保留個数指定コマンドと、前記復帰時保留個数指定コマンドの一部とを共通化した
ことを特徴とする弾球遊技機。
【発明の詳細な説明】
【技術分野】
【０００１】
本発明は、特別図柄表示手段を複数備えた弾球遊技機に関するものである。
【背景技術】
【０００２】
現行規則に改正される前のパチンコ機では、いわゆる特別図柄表示装置は１個を超えて搭載することができなかったが、規則改正により規制が緩和され、現在では特別図柄表示手段とそれに対応する始動口とを２組備えたパチンコ機が数多く登場している（例えば特許文献１）。
【０００３】
この種のパチンコ機では、２つの特別図柄表示手段による図柄変動を並行して行うことができるタイプと、特許文献１のパチンコ機のように一方の特別図柄表示手段による図柄変動中は他方の変動を開始できないタイプとがある。また後者においては、更に２つの特別図柄表示手段による図柄変動の順序に関し、各始動口への入賞順に行うタイプ（以下、入賞順変動タイプという）と、特許文献１のパチンコ機のように何れか一方の特別図柄表示手段の図柄変動を優先して行うタイプ（以下、優先変動タイプという）とがある。
【０００４】
また、上記のような各種パチンコ機には、２つの特別図柄表示手段に対して例えば各４個、合計８個を上限とする保留個数を表示する保留個数表示手段が設けられている。優先変動タイプのパチンコ機の場合には、２つの特別図柄表示手段の変動順序は保留記憶後も変化するため、保留個数表示手段は２つの特別図柄表示手段に関する保留記憶を別個に表示するものが主流である。
【０００５】
一方、入賞順変動タイプのパチンコ機の場合には、２つの特別図柄表示手段の変動順序は保留記憶時に確定するため、保留個数表示手段は、例えば一方の特別図柄表示手段側の保留個数分の第１保留表示と、他方の特別図柄表示手段側の保留個数分の第２保留表示とを保留記憶の順序に従って同一列上に表示するように構成する（以下、一連表示タイプという）ことにより、保留個数だけでなく２つの特別図柄表示手段の変動順序についても明確に報知することが可能である。
【０００６】
なお、保留個数表示手段の制御は、主制御基板から送信される保留個数指定コマンド等に基づいて、主制御基板とは別の演出制御基板側で行われる場合が多い。
【先行技術文献】
【特許文献】
【０００７】
【特許文献１】特開２００８−１３２１４４号公報
【発明の概要】
【発明が解決しようとする課題】
【０００８】
ところで、保留個数指定コマンドは２つの特別図柄表示手段毎の保留個数を指定するもので、２つの特別図柄表示手段の変動順の情報は含んでいないのが通常である。従って、入賞順変動タイプのパチンコ機では、演出制御基板側で保留個数指定コマンドの受信順序に基づいて２つの特別図柄表示手段の変動順を把握している。
【０００９】
しかしながら、例えば主電源遮断中のバックアップ状態からの復帰時（以下、バックアップ復帰時）には、２つの特別図柄表示手段の変動順に関する情報は演出制御基板側から消失しているため、主制御基板側から保留個数指定コマンドを受信しても、一連表示タイプの保留個数表示を適切に行うことができず、遊技者に誤解を与える可能性があった。
【００１０】
もちろん、保留個数指定コマンドに２つの特別図柄表示手段の変動順の情報を含めればこの問題は解消するが、入賞順変動タイプと優先変動タイプとでコマンド体系を異ならせることは開発コストを押し上げる要因になるなどの新たな問題が生じる。
【００１１】
本発明は上記事情に鑑みてなされたものであり、バックアップ復帰時に主制御基板から演出制御基板に送信される保留個数指定コマンドには２つの図柄表示手段の変動順の情報が含まれていないにも拘わらず、一連表示タイプの保留個数表示手段を用いてバックアップ復帰時にも違和感のない表示を行うことができ、遊技者に誤解を与えることのない弾球遊技機を提供することを目的とする。
【課題を解決するための手段】
【００１２】
本発明は、主制御基板５１上に設けられ且つ第１変動開始条件が成立することに基づいて取得される第１検出情報と第２変動開始条件が成立することに基づいて取得される第２検出情報とをそれぞれ所定の上限個数を限度として順次記憶する検出情報記憶領域７３ａ，７３ｂと、前記検出情報記憶領域７３ａ，７３ｂに記憶された前記第１検出情報に基づいて図柄を変動表示する第１図柄表示手段３２ａと、前記検出情報記憶領域７３ａ，７３ｂに記憶された前記第２検出情報に基づいて図柄を変動表示する第２図柄表示手段３２ｂと、前記主制御基板５１上に設けられ且つ前記第１図柄表示手段３２ａの変動後の停止図柄と前記第２図柄表示手段３２ｂの変動後の停止図柄との何れかが特定態様となった場合に特別利益状態を発生させる特別利益状態発生手段７５と、前記第１検出情報の記憶個数である第１保留個数と前記第２検出情報の記憶個数である第２保留個数とを表示する保留個数表示手段３８と、前記主制御基板５１とは別の演出制御基板５２上に設けられ且つ前記第１保留個数の変化時にその変化後の前記第１保留個数を、前記第２保留個数の変化時にその変化後の前記第２保留個数をそれぞれ示す保留個数指定コマンドを前記主制御基板５１から受信することに基づいて前記保留個数表示手段３８の表示制御を行う保留個数表示制御手段８４とを備え、前記保留個数指定コマンドは、増加後の前記第１保留個数と前記第２保留個数とに対応する増加後保留個数指定コマンドと、減少後の前記第１保留個数と前記第２保留個数とに対応する減少後保留個数指定コマンドとを含み、前記第１図柄表示手段３２ａと前記第２図柄表示手段３２ｂとを前記第１検出情報と前記第２検出情報との記憶順序に従って択一的に作動させるように構成した弾球遊技機において、主電源遮断中のバックアップ状態からの復帰時には前記主制御基板５１から前記演出制御基板５２に対して主電源遮断直前の前記第１保留個数と前記第２保留個数とを示す復帰時保留個数指定コマンドが送信されるように構成し、前記保留個数表示制御手段８４は、前記バックアップ状態からの復帰時以外の通常時には、前記保留個数表示手段３８に前記第１保留個数分の第１保留表示Ｘと前記第２保留個数分の第２保留表示Ｙとを前記検出情報記憶領域７３ａ，７３ｂへの前記第１検出情報と前記第２検出情報との記憶順序に従って同一列上に表示させ、前記バックアップ状態からの復帰時には、前記復帰時保留個数指定コマンドに基づいて、前記保留個数表示手段３８に前記第１保留表示Ｘ及び前記第２保留表示Ｙとは別の特定保留表示Ｚを前記第１保留個数と前記第２保留個数との合計個数分表示させるように構成し、前記増加後保留個数指定コマンド又は前記減少後保留個数指定コマンドと、前記復帰時保留個数指定コマンドの一部とを共通化したものである。
【発明の効果】
【００１５】
本発明によれば、バックアップ復帰時に主制御基板から演出制御基板に送信される保留個数指定コマンドには２つの図柄表示手段の変動順の情報が含まれていないにも拘わらず、一連表示タイプの保留個数表示手段を用いてバックアップ復帰時にも違和感のない表示を行うことができ、遊技者に誤解を与えることもない。
【図面の簡単な説明】
【００１６】
【図１】本発明の一実施形態におけるパチンコ機の全体正面図である。
【図２】同パチンコ機の制御系のブロック図である。
【図３】同パチンコ機の特別保留個数指定コマンドの一覧を示す図である。
【図４】同パチンコ機のメイン処理のフローチャートを示す図である。
【図５】同パチンコ機の特別保留個数表示制御処理のフローチャートを示す図である。
【図６】同パチンコ機の特別保留個数表示手段による表示の一例を示す図である。
【図７】同パチンコ機の特別保留個数表示手段による表示の一例を示す図である。
【図８】同パチンコ機の特別保留個数表示手段によるその他の表示例を示す図である。
【発明を実施するための形態】
【００１７】
以下、本発明の実施形態を図面に基づいて詳述する。図１〜図７は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１８】
内枠４には、その上部側に遊技盤５等が、下部側に発射手段６等が夫々配置されており、その内枠４の前側には、遊技盤５の前側を覆うガラス扉７と、そのガラス扉７の下側で発射手段６等の前側を覆う下部開閉扉８とがヒンジ３と同じ側のヒンジ９により開閉及び着脱自在に枢着されている。ガラス扉７には、遊技盤５の前面側に設けられた遊技領域１５に対応するガラス窓１０が設けられ、また下部開閉扉８には、払い出し手段（図示省略）から払い出された遊技球を貯留して発射手段６に供給する上皿１１、その上皿１１が満杯のときに余剰球を貯留する下皿１２、発射手段６を作動させるために操作する発射ハンドル１３等が設けられている。
【００１９】
遊技盤５には、発射手段６から発射された遊技球を案内するガイドレール１４が環状に装着されると共に、そのガイドレール１４の内側の遊技領域１５に、センターケース１６の他、普通図柄始動手段１７、第１，第２特別図柄始動手段１８ａ，１８ｂ、大入賞手段１９、普通入賞手段２０等の各種遊技部品が配置されている。
【００２０】
センターケース１６は、例えば遊技盤５の裏側に固定される液晶式等の画像表示手段２１に対応して遊技領域１５内の略中央に配置されており、遊技盤５の前面側に沿って設けられ且つ固定ねじ等により遊技盤５に固定される前面装着板２２と、画像表示手段２１の表示画面２１ａを取り囲む表示枠部２３とを一体に備えている。表示枠部２３は、例えばその略全体が前面装着板２２から前側に突出しており、その内側、即ち画像表示手段２１側への遊技球の侵入を阻止するようになっている。即ち、発射手段６により遊技領域１５の上部側に打ち込まれた遊技球は、この表示枠部２３の上部側で左右に振り分けられ、センターケース１６の左右何れかを流下する。
【００２１】
センターケース１６の例えば表示枠部２３上には、普通図柄表示手段３１、第１，第２特別図柄表示手段（第１，第２図柄表示手段）３２ａ，３２ｂ、普通保留個数表示手段３３等の表示手段の他、画像表示手段２１の前側下部に、表示枠部２３の例えば左側部に設けられた入球口３４から入球した遊技球を左右方向に自由に転動させて左右方向中央の落下口３５又はその左右両側から落下させるステージ３６が設けられている。また画像表示手段２１は、第１，第２演出図柄表示手段３７ａ，３７ｂ、特別保留個数表示手段（保留個数表示手段）３８等を構成している。
【００２２】
普通図柄始動手段１７は、普通図柄表示手段３１による普通図柄の変動表示を開始させるためのもので、遊技球が通過可能な通過ゲート等により構成され、例えばセンターケース１６の右側上部に配置されており、通過した遊技球を検出可能となっている。
【００２３】
普通図柄表示手段３１は、普通図柄を変動表示するためのもので、例えば「○」「×」の２種類の普通図柄に対応する２個の発光体（例えばＬＥＤ）により構成されており、普通図柄始動手段１７が遊技球を検出することを条件にそれら２つの発光体が所定時間交互に点滅して、普通図柄始動手段１７による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２４】
また、普通図柄表示手段３１の変動表示中、又は後述する普通利益状態中に普通図柄始動手段１７が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３３がその発光個数により当たり判定乱数値の記憶個数（以下、普通保留個数）を表示して、その時点での普通保留個数を遊技者に報知するようになっている。
【００２５】
第１特別図柄始動手段１８ａは、第１特別図柄表示手段３２ａによる図柄変動を開始させるためのもので、開閉手段等を有しない非作動式入賞手段により構成されており、例えばセンターケース１６の下側に配置され、入賞した遊技球を検出可能となっている。なお本実施形態では、遊技領域１５内の釘配置（図示省略）等により、この第１特別図柄始動手段１８ａへはセンターケース１６の右側を流下してきた遊技球よりも左側を流下してきた遊技球（センターケース１６のステージ３６を経た遊技球を含む）の方が入賞する確率が高くなっている。
【００２６】
第２特別図柄始動手段１８ｂは、第２特別図柄表示手段３２ｂによる図柄変動を開始させるためのもので、開閉手段４１により遊技球が入賞可能な開状態と入賞不可能な閉状態とに切り換え可能な作動式入賞手段により構成されており、例えばセンターケース１６の右側で且つ普通図柄始動手段１７よりも下流側に配置され、入賞した遊技球を検出可能となっている。この第２特別図柄始動手段１８ｂは、普通図柄表示手段３１による普通図柄の変動後の停止図柄が当たり態様となって普通利益状態が発生したときに、開閉手段４１が所定時間、所定回数だけ閉状態から開状態に変化するように構成されている。
【００２７】
第１，第２特別図柄表示手段（第１，第２図柄表示手段）３２ａ，３２ｂは、夫々１個又は複数個、例えば各１個の特別図柄を変動表示可能な７セグメント式等の表示手段により構成されており、第１特別図柄表示手段３２ａは第１特別図柄始動手段１８ａが遊技球を検出することを条件に、また第２特別図柄表示手段３２ｂは第２特別図柄始動手段１８ｂが遊技球を検出することを条件に、夫々第１，第２特別図柄を所定時間変動表示して、それら第１，第２特別図柄始動手段１８ａ，１８ｂへの入賞時に取得された大当たり判定乱数値が予め定められた大当たり判定値と一致する場合には所定の大当たり態様で、それ以外の場合には外れ態様で夫々停止するようになっている。
【００２８】
第１，第２特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。
【００２９】
また、第１，第２特別図柄の変動表示中、又は後述する大当たり状態中に第１，第２特別図柄始動手段１８ａ，１８ｂが遊技球を検出した場合には、その検出時に取得された大当たり判定乱数値等が夫々所定の上限保留個数、例えば各４個を限度として記憶されると共に、特別保留個数表示手段３８が大当たり判定乱数値の記憶個数（以下、第１，第２特別保留個数）を表示して、その時点での第１，第２特別保留個数（第１，第２保留個数）を遊技者に報知するようになっている。
【００３０】
なお本実施形態では、大当たり状態中には第１，第２特別図柄表示手段３２ａ，３２ｂの図柄変動を開始しない他、第１特別図柄表示手段３２ａと第２特別図柄表示手段３２ｂとは、第１，第２特別図柄始動手段１８ａ，１８ｂによる遊技球の検出順、即ち対応する大当たり判定乱数値の記憶順に従って択一的に作動し、両方が同時に変動中となることはないように制御される。
【００３１】
第１，第２演出図柄表示手段３７ａ，３７ｂは、例えば第１，第２特別図柄表示手段３２ａ，３２ｂによる第１，第２特別図柄の変動表示と時間的に同調して第１，第２演出図柄を変動表示するもので、夫々１個又は複数個、例えば左右方向に３個の第１，第２演出図柄を例えば各種の演出画像と共に画像表示手段２１の表示画面２１ａに変動表示可能に構成されており、第１演出図柄表示手段３７ａは第１特別図柄始動手段１８ａが遊技球を検出することを条件に、また第２演出図柄表示手段３７ｂは第２特別図柄始動手段１８ｂが遊技球を検出することを条件に、夫々第１，第２特別図柄の変動開始と同時に所定の変動パターンに従って第１，第２演出図柄の変動を開始すると共に、第１，第２特別図柄の変動停止と同時に最終停止するように、第１，第２演出図柄を左、右、中等の所定の順序で停止させるようになっている。
【００３２】
なお、上述したように第１，第２特別図柄表示手段３２ａ，３２ｂは同時に変動することはないため、表示画面２１ａ上で第１，第２演出図柄表示手段３７ａ，３７ｂが同時に図柄変動表示を行うことはない。また第１，第２演出図柄表示手段３７ａ，３７ｂは、第１，第２特別図柄の変動内容とは直接関係のない演出を行う場合があってもよい。
【００３３】
第１，第２演出図柄には、例えば「０」〜「９」の１０種類の数字図柄が用いられ、  「６・６・６」「７・７・７」等、３つの図柄が全て同じ図柄で揃ったものが大当たり態様、少なくとも１つの図柄が異なるものが外れ態様となっている。また、第１，第２演出図柄表示手段３７ａ，３７ｂによる第１，第２演出図柄の変動後の停止図柄は、第１，第２特別図柄表示手段３２ａ，３２ｂによる第１，第２特別図柄が大当たり態様で停止する場合には大当たり態様となり、第１，第２特別図柄が外れ態様で停止する場合には任意の外れ態様となる。
【００３４】
また、第１，第２演出図柄の変動パターンには、リーチ状態を経て大当たり態様となる複数種類のリーチ大当たり変動パターン（例えばノーマルリーチ大当たり変動パターン、スーパーリーチ大当たり変動パターン等）と、リーチ状態を経て外れ態様となる複数種類のリーチ外れ変動パターン（例えばノーマルリーチ外れ変動パターン、スーパーリーチ外れ変動パターン等）と、リーチ状態を経ることなく外れ態様となる１又は複数種類のリーチなし外れ変動パターンとが設けられている。
【００３５】
特別保留個数表示手段（保留個数表示手段）３８は、第１，第２特別保留個数を表示するもので、図１に示すように、第１特別保留個数分の第１保留表示Ｘと、第２特別保留個数分の第２保留表示Ｙとを保留記憶順に従って同一列上に羅列表示することにより、第１，第２特別保留個数と共に第１，第２特別図柄表示手段３２ａ，３２ｂの変動順序を報知可能となっている。
【００３６】
大入賞手段１９は、遊技球が入賞可能な開状態と入賞不可能な閉状態とに切り換え可能な開閉板４２を備えた開閉入賞手段で、例えば第２特別図柄始動手段１８ｂの下流側に配置されており、第１，第２特別図柄表示手段３２ａ，３２ｂの変動後の第１，第２特別図柄が大当たり態様となることに基づいて発生する大当たり状態中に、開閉板４２が複数種類の開放パターンの何れかに従って前側に開放して、その上に落下した遊技球を内部へと入賞させると共に、その入賞した遊技球を検出するようになっている。
【００３７】
図２は本パチンコ機の制御系のブロック図である。図２において、５１は主制御基板、５２は演出制御基板で、これら各制御基板５１，５２は、遊技盤５に装着されたセンターケース１６、その他の複数個の遊技部品を裏側から一括して覆う裏カバーの裏側等、内枠４及び遊技盤５を含む遊技機本体１の裏側の適宜箇所に着脱自在に装着された基板ケースに夫々収納されている。
【００３８】
主制御基板５１は、主に遊技盤５側の遊技動作に関わる制御を行うためのもので、ＣＰＵ，ＲＯＭ，ＲＡＭ等により構成される普通乱数作成処理手段６１、普通始動口チェック処理手段６２、普通乱数記憶手段６３、普通図柄処理手段６４、普通利益状態発生手段６５、普通図柄表示制御手段６６、第１，第２特別乱数作成処理手段７１ａ，７１ｂ、第１，第２特別始動口チェック処理手段７２ａ，７２ｂ、第１，第２特別乱数記憶手段（検出情報記憶領域）７３ａ，７３ｂ、第１，第２特別図柄処理手段７４ａ，７４ｂ、大当たり状態発生手段（特別利益状態発生手段）７５、第１，第２特別図柄表示制御手段７６ａ，７６ｂ、特別遊技状態発生手段７７、制御コマンド送信手段７８等を備えている。
【００３９】
普通乱数作成処理手段６１は、変動後の普通図柄を当たり態様とするか否かの判定に用いる当たり判定乱数等を所定時間毎に繰り返し発生するように構成されている。普通始動口チェック処理手段６２は、普通図柄始動手段１７による遊技球の検出に基づく処理を行うもので、普通図柄始動手段１７が遊技球を検出することに基づいて、普通乱数作成処理手段６１で作成された当たり判定乱数値を１個取得し、その当たり判定乱数値を予め定められた上限保留個数（例えば４個）を限度として普通乱数記憶手段６３に記憶させるように構成されている。
【００４０】
普通図柄処理手段６４は、普通図柄の変動表示に関する処理を行うもので、普通図柄表示手段３１が変動表示可能な状態となり且つ普通乱数記憶手段６３に１個以上の当たり判定乱数値が記憶されていること（普通保留個数が１以上であること）を条件に、普通乱数記憶手段６３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００４１】
普通利益状態発生手段６５は、普通図柄処理手段６４による判定結果が当たり判定となり、普通図柄表示手段３１の変動後の停止図柄が当たり態様となったときに、第２特別図柄始動手段１８ｂの開閉手段４１を複数種類の開閉パターンの何れかに従って開状態に変化させるようになっている。
【００４２】
普通図柄表示制御手段６６は、普通図柄処理手段６４による普通図柄処理に基づいて普通図柄表示手段３１の表示制御を行うもので、普通図柄表示手段３１が変動表示可能な状態となり且つ普通乱数記憶手段６３に１個以上の当たり判定乱数値が記憶されていること（普通保留個数が１以上であること）を条件に普通図柄表示手段３１による普通図柄の変動を開始させ、普通図柄処理手段６４で選択された変動時間が経過することに基づいて、同じく普通図柄処理手段６４で選択された停止図柄で普通図柄の変動を停止させるようになっている。
【００４３】
第１，第２特別乱数作成処理手段７１ａ，７１ｂは、変動後の第１，第２特別図柄を大当たり態様とするか否かの判定に用いる大当たり判定乱数の他、変動後の特別図柄が大当たり態様となる場合の停止図柄、大入賞手段１９の開放パターン等の選択に用いる大当たり図柄乱数、特別図柄の変動パターンの選択に用いる変動パターン選択乱数、その他の所定の乱数を繰り返し発生する特別乱数作成処理を行うように構成されている。
【００４４】
第１，第２特別始動口チェック処理手段７２ａ，７２ｂは、第１，第２特別図柄始動手段１８ａ，１８ｂへの遊技球の入賞に基づく処理を行うもので、第１，第２特別図柄始動手段１８ａ，１８ｂに遊技球が入賞すること（第１，第２変動開始条件の成立の一例）に基づいて、第１，第２特別乱数作成処理手段７１ａ，７１ｂで作成された大当たり判定乱数値（第１，第２検出情報の一例）、大当たり図柄乱数値を１個ずつ取得し、それら大当たり判定乱数値及び大当たり図柄乱数値を予め定められた上限保留個数（例えば各４個）を限度として第１，第２特別乱数記憶手段（検出情報記憶領域）７３ａ，７３ｂに記憶させるように構成されている。
【００４５】
第１，第２特別図柄処理手段７４ａ，７４ｂは、第１，第２特別図柄の変動表示に関する処理を行うもので、第１，第２特別図柄表示手段３２ａ，３２ｂが変動表示可能な状態となり且つ第１，第２特別乱数記憶手段７３ａ，７３ｂに１個以上の大当たり判定乱数値が記憶されていること（第１，第２特別保留個数が１以上であること）を条件に、第１，第２特別乱数記憶手段７３ａ，７３ｂに最も早く記憶された大当たり判定乱数値を取り出し、その大当たり判定乱数値が予め定められた大当たり判定値と一致するか否かに応じて大当たり／外れの判定を行う大当たり判定機能、大当たり／外れの判定結果と、第１，第２特別乱数記憶手段７３ａ，７３ｂに大当たり判定乱数値と共に記憶されている大当たり図柄乱数値とに基づいて、第１，第２特別図柄の変動後の停止図柄を選択する特別停止図柄選択機能、大当たり／外れの判定結果に基づいて、第１，第２演出図柄の変動パターンとして複数種類の変動パターンの中から１つを選択する変動パターン選択機能等を備えている。
【００４６】
本実施形態では例えば大当たり状態中には第１，第２特別図柄表示手段３２ａ，３２ｂの図柄変動を開始しない他、第１特別図柄表示手段３２ａと第２特別図柄表示手段３２ｂとは、第１，第２特別図柄始動手段１８ａ，１８ｂによる遊技球の検出順、即ち対応する大当たり判定乱数値の記憶順に従って択一的に変動し、両方が同時に変動中となることはないように制御される。
【００４７】
即ち、例えば第１特別保留個数のみが１以上であれば第１特別図柄処理手段７４ａが作動して第１特別図柄表示手段３２ａによる変動が行われ、第２特別保留個数のみが１以上であれば第２特別図柄処理手段７４ｂが作動して第２特別図柄表示手段３２ｂによる変動が行われるが、第１，第２特別保留個数が共に１以上の場合には、第１，第２特別乱数記憶手段７３ａ，７３ｂへの大当たり判定乱数値の記憶順に従って第１，第２特別図柄処理手段７４ａ，７４ｂが択一的に作動して第１，第２特別図柄表示手段３２ａ，３２ｂの図柄変動が順次行われる。
【００４８】
大当たり状態発生手段（特別利益状態発生手段）７５は、遊技者に有利な大当たり状態（特別利益状態）を発生させるためのもので、第１，第２特別図柄処理手段７４ａ，７４ｂによる大当たり／外れの判定結果が大当たり判定となり、第１，第２特別図柄の変動後の停止図柄が大当たり態様（特定態様）となることに基づいて、大入賞手段１９を所定の開放パターンに従って開放する大当たり状態を発生させるように構成されている。大当たり状態における大入賞手段１９の開放パターンは例えば複数種類用意されており、大当たり状態毎にそれらのうちの１つが選択されるようになっている。
【００４９】
なお本実施形態では、第２特別図柄側で大当たり態様となった場合の方が第１特別図柄側で大当たり態様となった場合よりも遊技者に有利な開放パターンの選択率が高く設定されているなど、第１特別図柄側で大当たりとなるよりも第２特別図柄側で大当たりとなる方が遊技者にとって有利な設定となっている。
【００５０】
第１，第２特別図柄表示制御手段７６ａ，７６ｂは、第１，第２特別図柄表示手段３２ａ，３２ｂの表示制御を行うもので、第１特別図柄処理手段７４ａ又は第２特別図柄処理手段７４ｂによる特別図柄処理に基づいて、第１特別図柄表示手段３２ａ又は第２特別図柄表示手段３２ｂによる第１，第２特別図柄の変動を開始させると共に所定の第１，第２変動パターンに対応する変動時間が経過することに基づいて所定の停止図柄で第１，第２特別図柄の変動を停止させるようになっている。
【００５１】
特別遊技状態発生手段７７は、大当たり状態の発生後の所定期間に遊技者に有利な特別遊技状態を発生させるためのもので、例えば第１，第２特別乱数記憶手段７３ａ，７３ｂに記憶された大当たり判定乱数値が大当たり判定値と一致した場合の大当たり図柄乱数値に応じて、時短状態と確変状態との何れかの特別遊技状態を発生させるように構成されている。
【００５２】
時短状態中は、第１，第２特別図柄に関して、第１，第２特別図柄表示手段３２ａ，３２ｂの変動時間が夫々通常変動時間よりも短い短縮変動時間に切り換えられる他、普通図柄に関して、当たり確率が通常確率（例えば１／１０）から高確率（例えば１／１．３）へ、変動時間が通常変動時間（例えば２７秒）から短縮変動時間（例えば２．７秒）へ、第２特別図柄始動手段１８ｂの開閉手段４１の開閉パターンが通常開閉パターン（例えば０．２秒×１回開放）から延長開閉パターン（例えば２秒×３回開放）へ、夫々切り換えられるようになっている。なお、時短状態は例えばその開始後に第１，第２特別図柄が所定回数（例えば５０回）変動した時点で終了するようになっている。
【００５３】
確変状態中は、それ以外の通常確率状態中よりも大当たり判定値の数が例えば１個から１０個へ増加されることにより、第１，第２特別図柄が大当たり態様となる確率が通常確率（例えば１／３５０）よりも高い高確率（例えば１／３５）に切り換えられ、また時短状態と同様の処理も併せて行われるようになっている。なお、確変状態は例えば次の大当たり状態が発生した時点で終了する。
【００５４】
制御コマンド送信手段７８は、所定の制御コマンドを一方向通信により演出制御基板５２等のサブ制御基板側に送信して制御指令を与えるためのもので、第１，第２特別図柄処理手段７４ａ，７４ｂによる第１，第２特別図柄処理に基づいて、第１，第２演出図柄の変動パターンを指定する変動パターン指定コマンド、第１，第２演出図柄の停止図柄を指定する停止図柄指定コマンド、第１，第２演出図柄の変動停止を指定する変動停止指定コマンド等を演出制御基板５２側に送信する機能、第１，第２特別保留個数を指定する特別保留個数指定コマンドを演出制御基板５２側に送信する機能等を備えている。
【００５５】
ここで、特別保留個数指定コマンド（保留個数指定コマンド）には、図３に示すように第１，第２増加後保留個数指定コマンドと第１，第２減少後保留個数指定コマンドと第１，第２復帰時保留個数指定コマンドとが設けられている。
【００５６】
第１，第２増加後保留個数指定コマンドは、第１，第２特別保留個数の増加時に送信されるもので、図３の例では、第１増加後保留個数指定コマンドは増加後の第１特別保留個数１〜４に対応してＢ６０１Ｈ〜Ｂ６０４Ｈの４種類が、第２増加後保留個数指定コマンドは増加後の第２特別保留個数１〜４に対応してＢ７０１Ｈ〜Ｂ７０４Ｈの４種類が、夫々割り当てられている。
【００５７】
第１，第２減少後保留個数指定コマンドは、第１，第２特別保留個数の減少時、即ち第１，第２特別図柄表示手段３２ａ，３２ｂの変動開始時に送信されるもので、図３の例では、第１減少後保留個数指定コマンドは減少後の第１特別保留個数０〜３に対応してＢ４０１Ｈ〜Ｂ４０４Ｈの４種類が、第２減少後保留個数指定コマンドは減少後の第２特別保留個数０〜３に対応してＢ５０１Ｈ〜Ｂ５０４Ｈの４種類が、夫々割り当てられている。
【００５８】
第１，第２復帰時保留個数指定コマンドは、後述するバックアップ復帰時に送信されるもので、図３の例では、第１復帰時保留個数指定コマンドはバックアップ復帰時（即ちその前の電源遮断直前の）第１特別保留個数０〜４に対応してＢ４０１Ｈ〜Ｂ４０５Ｈの５種類が、第２復帰時保留個数指定コマンドはバックアップ復帰時の第２特別保留個数０〜４に対応してＢ５０１Ｈ〜Ｂ５０５Ｈの５種類が、夫々割り当てられている。
【００５９】
このように本実施形態では、第１，第２減少後保留個数指定コマンドと、第１，第２復帰時保留個数指定コマンドの一部とで共通のコマンドが用いられている。
【００６０】
以上のように構成される主制御基板５１にはバックアップ電源７９が接続されており  （図２）、営業終了や停電等によって主電源が遮断された後も、その直前の遊技制御情報を含むＲＡＭ上のデータ（バックアップデータ）は電源遮断後も所定期間保持されるようになっている。なお、バックアップ電源７９は例えば図示しない電源基板上に設けられている。
【００６１】
また電源投入時には、主制御基板５１上で、図４に示すようなメイン処理が開始されるようになっている。なお、この「電源投入時」には、例えば初期化スイッチ（図示省略）がＯＮ操作された状態で電源がＯＮになる「電源初期投入時」と、通常の遊技ホール開店時や停電状態からの復旧時のように、初期化スイッチがＯＦＦ状態のままで電源がＯＮになる「バックアップ復帰時」とがある。
【００６２】
このメイン処理（図４）が開始されると、まず初期設定処理（Ｓ１）が行われる。この初期設定処理では、例えばＲＡＭが書き込み禁止に設定され、入出力ポートなどの周辺回路、乱数生成処理手段等の各部が初期状態に設定される。そして、所定の割り込みモードに設定された後、ＲＡＭクリア信号の値が確認される（Ｓ２）。このＲＡＭクリア信号は、ＲＡＭの全領域を初期化するか否かを示す信号で、例えば初期化スイッチのＯＮ／ＯＦＦ状態に対応した値を有している。
【００６３】
バックアップ復帰時（主電源遮断中のバックアップ状態からの復帰時）のようにＲＡＭクリア信号がＯＦＦの場合には（Ｓ２：Ｎｏ）、ＲＡＭに記憶されているバックアップデータが有効か否かが判定される（Ｓ３）。このバックアップデータが有効か否かの判定は、例えば電源が遮断される直前にバックアップデータと共にＲＡＭに保存された誤り検出符号に基づいて、ＲＡＭに保存されているデータが電源遮断時のデータと異なっているか否かを判断することにより行われる。
【００６４】
なお、バックアップデータのうち、第１，第２特別図柄の保留記憶に関するデータとしては、例えば第１特別保留個数を示す「第１特別保留個数カウント値」、第２特別保留個数を示す「第２特別保留個数カウント値」、第１，第２特別保留個数の合計を示す「特別保留個数合計カウント値」、第１，第２特別図柄の保留記憶に関する入賞順（即ち第１，第２特別図柄の変動順）を示す「特別図柄入賞順情報」等がある。ここで、「特別図柄入賞順情報」は、例えば８ビットデータの例えば下位から「特別保留個数合計カウント値」に相当するビット数分で入賞順が表され、各ビットについて例えば０であれば第１特別図柄の変動、１であれば第２特別図柄の変動のように記憶される。
【００６５】
バックアップデータが有効であると判定された場合には（Ｓ３：Ｙｅｓ）、演出制御基板５２等のサブ制御基板に対してバックアップ復帰コマンドが送信される（Ｓ４）と共に、遊技復旧処理（Ｓ５）が行われ、ＲＡＭに記憶されているバックアップデータに基づいて電源遮断前の状態から遊技が再開されると共に、その再開時の遊技状態に応じて演出制御基板５２に対して第１，第２復帰時保留個数指定コマンドを含む所定のコマンドが送信される（Ｓ６）。
【００６６】
第１，第２復帰時保留個数指定コマンドは、バックアップデータの第１特別保留個数カウント値と第２特別保留個数カウント値とに基づいて送信され、例えば第１特別保留個数カウント値（電源遮断時の第１特別保留個数）が３、第２特別保留個数カウント値（電源遮断時の第２特別保留個数）が２であった場合には、第１復帰時保留個数指定コマンドとしてＢ４０４Ｈが、第２復帰時保留個数指定コマンドとしてＢ５０３Ｈが夫々送信される。
【００６７】
Ｓ２においてＲＡＭクリア信号がＯＮであるか（Ｓ２：Ｙｅｓ）、又はＳ３においてバックアップデータが有効でない（Ｓ３：Ｎｏ）と判定された場合には、ＲＡＭの記憶内容が初期化される（Ｓ７）と共に、演出制御基板５２等のサブ制御基板に対して初期化コマンドが送信される（Ｓ８）。そして、割り込み許可状態に設定され（Ｓ９）、その後は、各種乱数等の初期値を更新するカウンタ更新処理が無限ループ状に実行される（Ｓ１０）。
【００６８】
演出制御基板５２は、第１，第２演出図柄表示手段３７ａ，３７ｂ、特別保留個数表示手段３８、音声出力手段８１、ランプ手段８２等の各種演出手段を制御するためのもので、演出図柄表示制御手段８３、特別保留個数表示制御手段（保留個数表示制御手段）８４等を備えている。
【００６９】
演出図柄表示制御手段８３は、第１，第２演出図柄表示手段３７ａ，３７ｂの表示制御及びそれに伴う音声出力手段８１、ランプ手段８２等の制御を行うもので、主制御基板５１側から変動パターン指定コマンドを受信した場合に、その変動パターン指定コマンドに対応する変動パターンに基づいて画像表示手段２１の表示画面２１ａ上で第１演出図柄又は第２演出図柄の変動を開始させると共に、変動停止指定コマンドを受信したときに、停止図柄指定コマンドに基づいて選択された停止図柄態様で第１演出図柄又は第２演出図柄の変動を停止させ、またその第１，第２演出図柄の変動表示に合わせて音声出力手段８１から所定の効果音を出力し、またランプ手段８２を所定のパターンで発光させるようになっている。
【００７０】
特別保留個数表示制御手段８４は、主制御基板５１から送信される特別保留個数指定コマンドに基づいて特別保留個数表示手段３８の表示制御を行うもので、例えば主制御基板５１からコマンドを受信することに基づいて図５に示すような特別保留個数表示制御処理を実行するようになっている。
【００７１】
この特別保留個数表示制御処理（図５）では、まず受信したコマンドの種類が判定され（Ｓ１１〜Ｓ１３）、受信したコマンドが第１，第２復帰時保留個数指定コマンド（第１，第２減少時保留個数指定コマンドを含む）、第１，第２増加後保留個数指定コマンド  （図３）の何れでもないと判定された場合には（Ｓ１１：Ｎｏ→Ｓ１２：Ｎｏ→Ｓ１３：Ｎｏ）、ここで特別保留個数表示制御処理は終了する。
【００７２】
第１増加後保留個数指定コマンドと第２増加後保留個数指定コマンドとの何れかを受信したと判定された場合、即ち受信したコマンドがＢ６０１Ｈ〜Ｂ６０４Ｈ，Ｂ７０１Ｈ〜Ｂ７０４Ｈの何れかであった場合には（Ｓ１１：Ｙｅｓ）、特別保留個数表示手段３８に、そのコマンドに対応して第１保留表示Ｘ（ここでは「●」で表す）と第２保留表示Ｙ  （ここでは「○」で表す）との何れかが１個追加表示される（Ｓ１１ａ）。
【００７３】
例えば、特別保留個数表示手段３８に第２保留表示Ｙが１個表示された状態（図６（ａ））、即ち第１特別保留個数が０個、第２特別保留個数が１個の状態で第１増加後保留個数指定コマンドを受信した場合（この場合の第１増加後保留個数指定コマンドは第１特別保留個数１個に対応するＢ６０１Ｈである）には、図６（ｂ）に示すように、既に表示されている保留個数表示列の最後部（ここでは１個の第２保留表示Ｙの右側）に、第１保留表示Ｘが１個追加表示される。更にその状態で例えば第２増加後保留個数指定コマンドを受信した場合（この場合の第２増加後保留個数指定コマンドは第２特別保留個数２個に対応するＢ７０２Ｈである）には、図６（ｃ）に示すように、既に表示されている保留個数表示列の最後部（ここでは左から２番目の第１保留表示Ｘの右側）に、第２保留表示Ｙが１個追加表示される。この図６（ｃ）に示す特別保留個数表示手段３８の表示状態は、第１特別保留個数が１個、第２特別保留個数が２個であり、その変動順序は１番目が第２特別図柄、２番目が第１特別図柄、３番目が第２特別図柄であることを示している。
【００７４】
また、第１減少後保留個数指定コマンドと第２減少後保留個数指定コマンドとの何れかを受信したと判定された場合、即ちバックアップ復帰時以外の通常時にＢ４０１Ｈ〜Ｂ４０４Ｈ，Ｂ５０１Ｈ〜Ｂ５０４Ｈの何れかを受信した場合には（Ｓ１１：Ｎｏ→Ｓ１２：Ｙｅｓ）、特別保留個数表示手段３８に表示されている各保留個数表示が１個分ずつ前側にシフトされる（Ｓ１２ａ）。
【００７５】
例えば、特別保留個数表示手段３８が図６（ｃ）に示す表示状態のときに、１番目の保留記憶に基づいて第２特別図柄表示手段３２ｂの変動が新たに開始される場合には、主制御基板５１から演出制御基板５２に対して減少後の第２特別保留個数１個に対応する第２減少後保留個数指定コマンドＢ５０２Ｈが送信される。そして、演出制御基板５２がこの第２減少後保留個数指定コマンドＢ５０２Ｈを受信すると、図６（ｄ）に示すように、表示されている保留個数表示列の最前部の第２保留表示Ｙが例えば画面上から消去されると共に、図６（ｅ）に示すように後続の保留個数表示列が１個分ずつ前側に移動される。
【００７６】
また、第１復帰時保留個数指定コマンドと第２復帰時保留個数指定コマンドとの何れかを受信したと判定された場合、即ちバックアップ復帰時にＢ４０１Ｈ〜Ｂ４０５Ｈ，Ｂ５０１Ｈ〜Ｂ５０５Ｈの何れかを受信した場合には（Ｓ１１：Ｎｏ→Ｓ１２：Ｎｏ→Ｓ１３：Ｙｅｓ）、特別保留個数表示手段３８に、受信した第１，第２復帰時保留個数指定コマンドで指定された保留個数分の特定保留表示Ｚが表示される（Ｓ１３ａ）。バックアップ復帰時には、第１復帰時保留個数指定コマンドと第２復帰時保留個数指定コマンドとが主制御基板５１から演出制御基板５２に対して送信されるため、特別保留個数表示手段３８には、第１復帰時保留個数指定コマンドで指定された第１特別保留個数と、第２復帰時保留個数指定コマンドで指定された第２特別保留個数との合計個数分の特定保留表示Ｚが一列状に羅列表示される。ここで、特定保留表示Ｚは、その表示態様が第１，第２保留表示Ｘ，Ｙとは異なっており、本実施形態では「★」で表すものとする。
【００７７】
例えば、特別保留個数表示手段３８が図７（ａ）に示す表示状態のときに停電等によって電源が遮断されると、図７（ｂ）に示すように特別保留個数表示手段３８の表示内容は消失し、演出制御基板５２側の記憶データ、例えば第１，第２特別保留個数や各保留記憶の記憶順の情報等も失われるが、主電源遮断後は主制御基板５１に対してバックアップ電源７９による給電が行われるため、主制御基板５１側では第１特別保留個数カウント値＝３、第２特別保留個数カウント値＝２、特別図柄入賞順情報＝００００１１００Ｂ等の各値がバックアップデータとして記憶保持される。
【００７８】
そして、その後に停電等が解消されてバックアップ状態から復帰すると、記憶保持されていたバックアップデータに基づいて、主制御基板５１から演出制御基板５２に対して、第１特別保留個数３個に対応する第１復帰時保留個数指定コマンドＢ４０４Ｈと、第２特別保留個数２個に対応する第２復帰時保留個数指定コマンドＢ５０３Ｈとが送信される。そして、演出制御基板５２がこれらのコマンドを受信すると、図７（ｃ）に示すように、特別保留個数表示手段３８により、第１復帰時保留個数指定コマンドＢ４０４Ｈで指定された第１特別保留個数３個と、第２復帰時保留個数指定コマンドＢ５０３Ｈで指定された第２特別保留個数２個との合計個数である５個分の特定保留表示Ｚが一列状に羅列表示される。
【００７９】
バックアップ復帰時には、演出制御基板５２側に電源遮断直前の情報は残されていないため、主制御基板５１から第１，第２復帰時保留個数指定コマンドを受信しても、それらから得られる情報、即ち第１，第２特別保留個数の情報だけでは、第１，第２特別図柄の変動順序の情報を含めた保留表示を行うことはできない。そこで本実施形態のパチンコ機では、バックアップ復帰時に限っては、第１，第２保留表示Ｘ，Ｙとは異なる表示態様の特定保留表示Ｚを用いて第１，第２特別保留個数の合計値のみを報知するようにしているため、バックアップ復帰時に主制御基板５１から演出制御基板５２に送信される第１，第２復帰時保留個数指定コマンドには第１，第２特別図柄表示手段３２ａ，３２ｂの変動順の情報が含まれていないにも拘わらず、一連表示タイプの特別保留個数表示手段３８を用いてバックアップ復帰時にも違和感のない表示を行うことができる。また、第１，第２保留表示Ｘ，Ｙとは異なる表示態様の特定保留表示Ｚを用いてバックアップ復帰時の表示を行うため、遊技者に誤解を与えることもない。
【００８０】
バックアップ復帰時に特別保留個数表示手段３８に第１，第２特別保留個数の合計個数分の特定保留表示Ｚが一列状に羅列表示された後は、第１，第２保留表示Ｘ，Ｙを使用した通常通りの表示制御が行われる。
【００８１】
例えば、特別保留個数表示手段３８が図７（ｃ）に示す表示状態のときに、１番目の保留記憶に基づいて第１特別図柄表示手段３２ａの変動が新たに開始される場合には、主制御基板５１から演出制御基板５２に対して第１特別保留個数２個に対応する第１減少後保留個数指定コマンドＢ４０３Ｈが送信される。そして、演出制御基板５２がこの第１減少後保留個数指定コマンドＢ４０３Ｈを受信すると、図７（ｄ）に示すように、表示されている保留個数表示列の最前部の特定保留表示Ｚが例えば画面上から消去されると共に後続の保留個数表示列が１個分ずつ前側に移動される。
【００８２】
更に特別保留個数表示手段３８が図７（ｄ）に示す表示状態のときに、例えば第２増加後保留個数指定コマンドを受信した場合（この場合の第２増加後保留個数指定コマンドは第２特別保留個数３個に対応するＢ７０３Ｈである）には、図７（ｅ）に示すように、既に表示されている保留個数表示列の最後部（ここでは左から４番目の特定保留表示Ｚの右側）に、第２保留表示Ｙが１個追加表示される。
【００８３】
以上、本発明の実施形態について詳述したが、本発明はこれらの実施形態に限定されるものではなく、本発明の趣旨を逸脱しない範囲で種々の変更が可能である。例えば、実施形態では、第１，第２減少後保留個数指定コマンドと第１，第２復帰時保留個数指定コマンドの一部とを共通化したが、第１，第２増加後保留個数指定コマンドと第１，第２復帰時保留個数指定コマンドの一部とを共通化してもよいし、第１，第２復帰時保留個数指定コマンドを第１，第２減少後保留個数指定コマンド、第１，第２増加後保留個数指定コマンド等と共通化することなく独立して設けてもよい。
【００８４】
第１，第２増加後保留個数指定コマンド（実施形態ではＢ６０１Ｈ〜Ｂ６０４Ｈ，Ｂ７０１Ｈ〜Ｂ７０４Ｈ）を、第１，第２検出情報（例えば大当たり判定乱数値、大当たり図柄乱数値、変動パターン選択乱数値等）の内容（例えば第１，第２特別図柄が大当たり態様となるか否か、特別利益状態が発生する場合の特別遊技状態の種類、第１，第２特別図柄の変動パターンの種類等）に基づいて複数種類設けてもよい。またこの場合、第１，第２保留表示Ｘ，Ｙを第１，第２増加後保留個数指定コマンドの種類に基づいて複数種類設けてもよい。これにより、第１，第２検出情報の内容に応じて第１，第２保留表示Ｘ，Ｙを異ならせることで各保留記憶に関する変動内容を予告する演出を行うことができ、特別保留個数表示手段３８による演出の幅が拡がる利点がある。
【００８５】
実施形態の特別保留個数表示手段３８は、第１保留個数分の第１保留表示Ｘと第２保留個数分の第２保留表示Ｙとを記憶順序に従って一列状に表示した例を示したが、複数の保留表示が複数列で羅列表示されている場合であっても、例えば図８に示すように全ての保留表示に通し番号が明示されているなど、それら複数の列が実質的に一つの列を構成していることが明らかであれば「同一列上」に表示しているものと言える。
【００８６】
保留表示Ｘ，Ｙ，Ｚの表示態様は任意であり、それら３種類を視覚的に容易に区別できるものであればよい。
【００８７】
また、実施形態では本発明をパチンコ機に適用した例を示したが、アレンジボール機等の他の弾球遊技機についても同様に適用可能である。
【符号の説明】
【００８８】
３２ａ  第１特別図柄表示手段（第１図柄表示手段）
３２ｂ  第２特別図柄表示手段（第２図柄表示手段）
３８    特別保留個数表示手段（保留個数表示手段）
５１    主制御基板
５２    演出制御基板
７２ａ  第１特別始動口チェック処理手段（検出情報記憶領域）
７２ｂ  第２特別始動口チェック処理手段（検出情報記憶領域）
７５    特別利益状態発生手段
８４    特別保留個数表示制御手段（保留個数表示制御手段）
Ｘ      第１保留表示
Ｙ      第２保留表示
Ｚ      特定保留表示
【図１】
0005324550.tif 000002
【図２】
0005324550.tif 000003
【図３】
0005324550.tif 000004
【図４】
0005324550.tif 000005
【図５】
0005324550.tif 000006
【図６】
0005324550.tif 000007
【図７】
0005324550.tif 000008
【図８】
0005324550.tif 000009